(57)【要約】【課題】断熱性能に気密性能を付加し、さらに、作業性を向上させた気密断熱ユニットの提供を目的とする。【解決手段】気密断熱ユニット１は、表面の少なくとも対向する縁部に溝１１，１２を形成した断熱パネル１０と、この断熱パネル１０の溝１１，１２に嵌合する脚部２２を所定の間隔で二本形成し、隣接して配設された断熱パネル１０の溝１１，１２に、脚部２２をそれぞれ嵌合させることによって、断熱パネル１０どうしを連結する連結パネル２０とを具備し、さらに、溝１１，１２を入口部より内部が広くなるように湾曲させて形成し、この湾曲形状に対応させて脚部２２を形成した構成としてある。【選択図】  図１
2004197515.tif 000002
【特許請求の範囲】
【請求項１】
表面の少なくとも対向する縁部に溝を形成した断熱パネルと、
この断熱パネルの前記溝に嵌合する脚部を所定の間隔で二本形成し、隣接して配設された前記断熱パネルの前記溝に、前記脚部をそれぞれ嵌合させることによって、前記断熱パネルどうしを連結する連結パネルと
を具備したことを特徴とする気密断熱ユニット。
【請求項２】
前記溝を入口部より内部が広くなるように湾曲させて形成するとともに、前記脚部をこの湾曲形状に対応させた形状としたことを特徴とする請求項１記載の気密断熱ユニット。
【請求項３】
少なくとも対向する端面に凸部及び／又は凹部が形成された断熱パネルと、
前記断熱パネルの凸部又は凹部に嵌合される凹部又は凸部を形成し、該凹部又は凸部を隣接して配設される前記断熱パネルの凸部又は凹部にそれぞれ嵌合させることによって、前記断熱パネルどうしを連結する連結パネルと
を具備したことを特徴とする気密断熱ユニット。
【請求項４】
前記断熱パネル及び連結パネルの凹部を入口部より内部が広くなるように湾曲させて形成するとともに、前記連結パネル及び断熱パネルの凸部をこの湾曲形状に対応させた形状としたことを特徴とする請求項３記載の気密断熱ユニット。
【請求項５】
前記断熱パネル及び／又は連結パネルを、被断熱体の形状に対応した形状としたことを特徴とする請求項１〜４のいずれかに記載の気密断熱ユニット。
【請求項６】
前記断熱パネル及び連結パネルを、発泡樹脂で成形したことを特徴とする請求項１〜５のいずれかに記載の気密断熱ユニット。
【請求項７】
前記断熱パネル及び／又は連結パネルを、建築物の屋根のみね，壁の角部，屋根と壁の境界部の形状に対応するように、折り曲げた形状としたことを特徴とする請求項５又は６記載の気密断熱ユニット。
【請求項８】
前記断熱パネル及び前記連結パネルの寸法を、前記被断熱体の形状及び大きさにもとづいて、あらかじめ二以上の異なる寸法及び形状に設定し、これら異なる寸法及び形状の前記断熱パネル及び前記連結パネルを組み合わせることによって任意の寸法及び形状の断熱ユニットを形成することを特徴とする請求項１〜７のいずれかに記載の気密断熱ユニット。
【請求項９】
前記断熱パネル及び連結パネルの外表面に、外面部材を設けたことを特徴とする請求項１〜８のいずれかに記載の気密断熱ユニット。
【発明の詳細な説明】
【０００１】
【産業上の利用分野】
本発明は、気密断熱ユニットに関し、特に、所定の形状に成形された断熱パネルを連結パネルによって連結することにより、気密性に優れた断熱ユニットを形成する気密断熱ユニットに関する。
【０００２】
従来、木造住宅、軽量鉄筋住宅、コンクリート住宅等の建築物の外側に、硬質発泡樹脂による断熱・気密パネルを張り合わせる、いわゆる、外張り断熱工法において、様々な断熱パネルの技術が開発されている。
【０００３】
たとえば、接合されるパネルの縁部に、外方に向かって開口する係合凹条を形成し、隣接されるパネルの係合凹条内に嵌合される連結部材を介して両パネルを接合するパネルの接合構造において、連結部材に、この連結部材の対向する面からそれぞれパネル表面側に延在するシール片と、このシール片の先端に膨隆する中空部とからなるパッキン部を一体に形成するパネルの接合構造がある（例えば、特許文献１参照。）。
この技術は、コーキング材を用いることなく、パネルどうしの接合部に気密性を持たせて容易に接合することができるパネルの接合構造に関する技術である。
【０００４】
【特許文献１】
特開２００１−３２９６２３号公報  （第２−４頁、第２図）
【０００５】
ところで、従来の一般的な断熱材は、断熱自体の断熱性能を向上させることを主たる目的とするものであり、断熱材どうしを密接に結合させることで建築物内部の気密を厳密に保持させるという機能を有してはいなかった。
たとえば、従来の断熱工法においては、建築物の外側に気密シートを隙間なく張りめぐらしながら、気密テープでシートの裾を貼り合わせ、気密性を保持する。そして、発泡スチロール、ウレタン等の硬質発泡樹脂による断熱材を張りめぐらしたあとで、再度、気密テープで断熱材の隙間を貼り合わせて、開口部を除く部分の気密性を高めていくといった方法がとられていた。
【０００６】
【発明が解決しようとする課題】
しかしながら、気密シート及び断熱材どうしの隙間を気密テープで貼り合わせたとしても、長年の間には、気密テープの接着剤が劣化して気密テープが剥がれ、テープが剥がれた箇所から空気が流入して、その部分において、気密性及び断熱性を低下させるといった問題があった。
また、建築物の部位に応じてその都度、断熱材を必要な長さに切断しなければならず、作業現場に切り屑が散乱するなどの問題を引き起こしかねない。さらに、切断部分が平坦でない場合には断熱材の接合部分に隙間が生じ、断熱性能が低下しかねないといった問題があった。
【０００７】
本発明は、上記問題を解決すべく、断熱性能に気密性能を付加し、さらに、作業性を向上させた気密断熱ユニットの提供を目的とする。
【０００８】
【問題を解決するための手段】
この目的を達成するために、本発明の請求項１記載の気密断熱ユニットは、表面の少なくとも対向する縁部に溝を形成した断熱パネルと、この断熱パネルの前記溝に嵌合する脚部を所定の間隔で二本形成し、隣接して配設された前記断熱パネルの前記溝に、前記脚部をそれぞれ嵌合させることによって、前記断熱パネルどうしを連結する連結パネルとを具備した構成としてある。
このようにすると、隣接して配設された断熱パネルを、連結パネルを用いて容易に連結することができるとともに、断熱パネル間の隙間を連結パネルが覆うので、気密性を確保することができる。
【０００９】
また、本発明の請求項２記載の気密断熱ユニットは、前記溝を入口部より内部が広くなるように湾曲させて形成するとともに、前記脚部をこの湾曲形状に対応させた形状とした構成としてある。
このようにすると、脚部を溝に係止することができるとともに、脚部と溝の表面を密着した状態で接触させることができ、気密性をより向上させることができる。
【００１０】
また、本発明の請求項３記載の気密断熱ユニットは、少なくとも対向する端面に凸部及び／又は凹部が形成された断熱パネルと、前記断熱パネルの凸部又は凹部に嵌合される凹部又は凸部を形成し、該凹部又は凸部を隣接して配設される前記断熱パネルの凸部又は凹部にそれぞれ嵌合させることによって、前記断熱パネルどうしを連結する連結パネルとを具備した構成としてある。
このようにしても、隣接して配設された断熱パネルを、連結パネルを用いて容易に連結することができるとともに、断熱パネル間の隙間を連結パネルが覆うので、気密性を確保することができる。
【００１１】
また、本発明の請求項４記載の気密断熱ユニットは、前記断熱パネル及び連結パネルの凹部を入口部より内部が広くなるように湾曲させて形成するとともに、前記連結パネル及び断熱パネルの凸部をこの湾曲形状に対応させた形状とした構成としてある。
このようにすると、断熱パネルに係止される連結パネルで、断熱パネルどうしを連結することができ、また、凹部と凸部の表面を密着した状態で接触させることができ、気密性をより向上させることができる。
【００１２】
また、本発明の請求項５記載の気密断熱ユニットは、前記断熱パネル及び／又は連結パネルを、被断熱体の形状に対応した形状とした構成としてある。
このようにすると、被断熱体の形状にかかわらず、気密性を保持した状態で断熱することができる。
【００１３】
また、本発明の請求項６記載の気密断熱ユニットは、前記断熱パネル及び連結パネルを、発泡樹脂で成形した構成としてある。
このようにすると、一般的に使用される断熱材料だけで気密断熱ユニットを製造することができ、生産性や経済性等において有利である。
【００１４】
また、本発明の請求項７記載の気密断熱ユニットは、前記断熱パネル及び／又は連結パネルを、建築物の屋根のみね，壁の角部，屋根と壁の境界部の形状に対応するように、折り曲げた形状とした構成としてある。
このようにすると、家屋等の一般的な建築物に対して、気密性を保持した状態で断熱することができるとともに、施工作業の作業性を改善することができる。
【００１５】
また、本発明の請求項８記載の気密断熱ユニットは、前記断熱パネル及び前記連結パネルの寸法を、前記被断熱体の形状及び大きさにもとづいて、あらかじめ二以上の異なる寸法及び形状に設定し、これら異なる寸法及び形状の前記断熱パネル及び前記連結パネルを組み合わせることによって任意の寸法及び形状の断熱ユニットを形成する構成としてある。
このようにすると、施工現場で断熱パネルや連結パネルを切断しなくてもすむので、効率よく施工作業を行うことができる。
【００１６】
また、本発明の請求項９記載の気密断熱ユニットは、前記断熱パネル及び連結パネルの外表面に、外面部材を設けた構成としてある。
このようにすると、気密断熱ユニットに外面部材がついているので、施工現場で気密断熱ユニットとは別に外面部材を取り付ける作業を行う必要がなくなり、作業工数を低減することができる。
【００１７】
【発明の実施の形態】
以下、本発明の好適な実施形態を各実施形態について、図面を参照して説明する。
【００１８】
［第一実施形態］
図１は、本発明にかかる気密断熱ユニットの第一実施形態を説明するための概略図であり、（ａ）は断熱パネルの斜視図を、（ｂ）は好適な断熱パネルの水平方向及び垂直方向の断面図を、（ｃ）は連結パネルの斜視図を、（ｄ）は連結パネルのＢ−Ｂ断面図を示している。
同図において、気密断熱ユニット１は、硬質発泡樹脂からなるほぼ矩形平板状の断熱パネル１０と、隣接して配設された断熱パネル１０を連結する硬質発泡樹脂からなる連結パネル２０とからなっている。
【００１９】
断熱パネル１０は、前面の四辺の縁部に二組の対向する溝１１，１２が形成されている。
図１において、溝１１は、垂直方向に上面から下面までにわたって形成してあり、溝１２は、水平方向に左側の溝１１から右側の溝１１までにわたって形成してある。なお、各溝１１，１２は、連続した一本の溝でなくてもよく、たとえば、短い溝を複数箇所に配設してもよい。
また、溝１１，１２の外側に位置する周縁部１４は、溝１１，１２で囲まれた中央部１３より低く形成してある。
さらに、断熱パネル１０の背面は、一般的な建築物の平坦な壁に張り付けやすいように、平坦に形成されている。
【００２０】
なお、本実施形態の断熱パネル１０は、対向する二組の溝１１，１２を設けて、断熱パネル１０の上下方向及び左右方向に隣接された断熱パネル（図示せず）との連結を可能としているが、この構造に限定されるものではなく、たとえば、断熱パネル１０を水平方向にのみ配設する場合には、溝１２を設けず溝１１だけを設けてもよい。
【００２１】
また、溝１１，１２の断面形状は、同図（ａ）においては、ほぼ正方形としてあるが、この断面形状に限定されるものではなく、後述する連結パネル２０の脚部２２と気密性を確保した状態で嵌合する断面形状であればよい。
たとえば、好適な気密断熱ユニットは、同図（ｂ）に示すように、溝１１の内部１１ｂを入口部１１ａより広くなるように湾曲して形成し、連結パネル２０の脚部２２をこの湾曲形状と対応する形状に形成するとよい。
なお、本実施形態では、溝１１と溝１２の断面形状を同一形状としてある。
【００２２】
連結パネル２０は、矩形平板状の連結部２１と、連結部２１の下面の両側に突設された二本の脚部２２とからなっている。
脚部２２は、上述したように、溝１１，１２の湾曲形状と対応する長さと形状に形成され、溝１１，１２に嵌合される。
連結部２１は、上面が平坦で、かつ、厚さが、ほぼ断熱パネル１０の中央部１３と周縁部１４の段差分の厚さとしてある。
なお、連結パネル２０の長さは、通常、嵌合される溝１１，１２の長さと同じにしてある。
【００２３】
また、断熱パネル１０と連結パネル２０は、硬質発泡樹脂からなり弾力性を有しているので、双方の弾性力が発揮できる範囲内で、連結パネル２０の脚部２２を溝１１の湾曲形状より大きな湾曲形状とするとよい。このようにすると、脚部２２が溝１１に嵌合されると、連結パネル２０が係止されるとともに、溝１１の表面と脚部２２の表面が密着するので、気密性を向上させることができる。
【００２４】
次に、上記構成の断熱パネル１０どうしを連結パネル２０で連結した状態について、図面を参照して説明する。
図２は、本発明にかかる気密断熱ユニットの第一実施形態において、連結パネルで断熱パネルを連結した状態を説明するための概略図であり、（ａ）は正面図を、（ｂ）はＣ−Ｃ拡大断面図を示している。
同図において、断熱パネル１０は、上下方向及び水平方向に隣接して、建築物の壁などからなる被断熱部９に張り付けられる。そして、隣接して配設された断熱パネル１０の溝１１，１２に連結パネル２０の脚部２２が嵌入される。
これにより、気密断熱ユニット１は、連結パネル２０の脚部２２が隣接した断熱パネル１０の端面どうしを密着した状態で当接させるので、断熱パネル１０と断熱パネル１０の隙間の発生を防止することができ、気密性を確保することができる。
【００２５】
また、断熱パネル１０の溝１１に取り付けられる連結パネル２０は、断熱パネル１０のほぼ中段部から上方に配設された断熱パネル１０のほぼ中段部までにわたって取り付けられており、これにより、断熱パネル１０どうしの接触面を連結パネル２０が覆うことができるので、気密性をより向上させることができる。また、溝１２を水平方向に左側の溝１１から右側の溝１１までにわたって形成してあるので、連結された状態の気密断熱ユニット１の内部に、空間が生じることを防止でき、気密性及び断熱性を向上させることができる。
さらに、脚部２２は、上述した硬質発泡樹脂の弾性力により、周縁部１４の上面及び溝１１の表面と密着した状態で当接しているので、この範囲においても、隙間の発生を防止しており、優れた気密性を発揮することができる。
【００２６】
このように、本実施形態の気密断熱ユニット１によれば、断熱パネル１０と連結パネル２０が断熱材としてその機能を発揮するとともに、隣接して配設した断熱パネル１０の気密性を確保することができる。なお、外張り断熱工法においては、壁に気密断熱ユニットを配設し、この気密断熱ユニット上に外壁部材等が配設される。
また、本発明は上記構成に限定されるものではなく、木造住宅、軽量鉄筋住宅、コンクリート住宅等の建築物の外側に硬質発泡樹脂による断熱・気密パネルを張り合わせる、いわゆる、外張り断熱工法を念頭におくと、様々な応用例を含むものである。
【００２７】
（第一応用例）
図３は、本発明にかかる気密断熱ユニットの第一実施形態の第一応用例を説明するための概略図であり、（ａ）〜（ｃ）は標準寸法と異なる寸法の断熱パネルの断面図を示している。
同図において、各断熱パネル１０ａ，１０ｂ，１０ｃは、標準寸法（最も一般的に使用される断熱パネルの寸法（たとえば、縦約１ｍ×横約１ｍ））より、縦寸法及び／又は横寸法が小さく設定された構成としてある。
これらの断熱パネル１０ａ，１０ｂ，１０ｃは、上記断熱パネル１０と比べて、各中央部１３ａ，１３ｂ，１３ｃの寸法が異なっており、周縁部１４や溝１１，１２の断面形状は、断熱パネル１０のものと同様としてある。
【００２８】
これにより、図４に示すように、被断熱部９の寸法の関係によって、断熱パネル１０に挟まれたスペースに、断熱パネル１０が入らない場合であっても、たとえば、断熱パネル１０より小さな断熱パネル１０ａをそのまま配設し、連結パネル２０で連結することができる。
すなわち、本応用例の断熱パネル１０ａ，１０ｂ，１０ｃを設けることにより、建築物の大きさに応じてその都度、断熱パネル１０を必要な大きさに切断するといった作業を排除することができる。また、施工者が現場で切断を行うと、一般的に、精度よく切断できないことから、隙間が生じてしまい断熱性・気密性が低下するといった不具合や、作業現場に切り屑が散乱するといった不具合を防止することができ、施工作業を効率よく行うことができる。
【００２９】
（第二応用例）
図５は、本発明にかかる気密断熱ユニットの第一実施形態の第二応用例を説明するための概略図であり、（ａ）は断熱パネルの正面図を、（ｂ）はＤ−Ｄ断面図を示している。
同図において、断熱パネル３０は、直角に折れ曲がった壁の角部である被断熱部９の形状に対応した形状としてあり、ほぼ矩形の平板を直角に折り曲げた構造としてある。
【００３０】
断熱パネル３０は、左右方向の端部に垂直方向に上記断熱パネル１０と同様に、溝３１と周縁部３２を形成してあり、連結パネル２０を介して、断熱パネル１０と連結される。
また、断熱パネル３０は、図５において、上面の中心線に沿って、両側面の中段がくびれたほぞ３３が突設され、下面の中心線に沿って、下方に配設された断熱パネル３０と垂直方向に連結するための、ほぞ３３が嵌合する長穴３４が形成してある。
また、長穴３４の両側面は、ほぞ３３のくびれと対応する形状にふくらんでいる。このようにすると、上述した脚部２２と溝１１，１２と同様に、ほぞ３３を長穴３４に嵌入するとほぞ３３が係止され、断熱パネル３０どうしを確実に連結するとともに、ほぞ３３と長穴３４の表面が密着し気密性を向上させることができる。
【００３１】
このように、本応用例の断熱パネル３０は、被断熱部９が直角に折れ曲がった角部であっても、気密性を確保することができる。
なお、本応用例では、被断熱部９を直角に折れ曲がった角部としてあるが、この被断熱部９に限定されるものではなく、様々な角度で折れ曲がったり、あるいは、湾曲したりした形状の被断熱部（図示せず）に対応した形状とすることができる。
【００３２】
（第三応用例）
図６は、本発明にかかる気密断熱ユニットの第一実施形態の第三応用例を説明するための概略図であり、（ａ）は断熱パネルの正面図を、（ｂ）は断熱パネルの右側面図を、（ｃ）は断熱パネルの上面図を示している。
同図において、断熱パネル４０は、上記断熱パネル１０を垂直方向に沿って、直角に折り曲げた構造としてあり、ほぼ矩形の平板を直角に折り曲げた構造としてある。
【００３３】
断熱パネル４０は、水平方向の端部に垂直方向に上記断熱パネル１０と同様に、溝４１と周縁部４４を形成してあり、連結パネル２０を介して、断熱パネル１０と連結される。
また、断熱パネル４０は、垂直方向の端部に上記断熱パネル１０と同様に、溝４２と周縁部４４を形成してあり、連結パネル５０を介して、隣接して配設される断熱パネル４０と連結される。
なお、溝４１，４２の外側に位置する周縁部４４は、上記断熱パネル１０と同様に、溝４１，４２で囲まれた中央部４３より低く形成してある。
【００３４】
図７は、本発明にかかる気密断熱ユニットの第一実施形態の第三応用例を説明するための概略図であり、（ａ）は連結パネルの正面図を、（ｂ）は連結パネルの左側面図を、（ｃ）は連結パネルの上面図を示している。
同図において、連結パネル５０は、上記連結パネル１０を垂直方向に沿って、直角に折り曲げた構造としてあり、矩形の平板を直角に折り曲げた連結部５１と、この連結部５１から突設され、断熱パネル４０の溝４２に嵌合する脚部５２とからなっている。
【００３５】
このように、本応用例の断熱パネル４０と連結パネル５０は、被断熱部９が直角に折れ曲がった角部であっても、気密断熱ユニット１と同様に気密性を確保することができる。
【００３６】
（第四応用例）
図８は、本発明にかかる気密断熱ユニットの第一実施形態の第四応用例を説明するための概略図であり、（ａ）は断熱パネルの側面図を、（ｂ）は屋根のみねへの取付断面図を、（ｃ）は屋根と壁との境界部への取付断面図を示している。
同図（ａ）において、断熱パネル３０ａは、上記断熱パネル３０を鈍角に折れ曲げた構造としてある。
なお、断熱パネル３０ａのその他の構造は、上記断熱パネル３０とほぼ同様としてある。
【００３７】
上記構造の断熱パネル３０ａは、同図（ｂ）に示すように、屋根のみね９１に取り付けられ、溝３２側の端面と隣接するように野地板９２上に断熱パネル１０を配設し、連結パネル２０で連結することができる。なお、気密断熱ユニットが屋根に配設された場合、一般的な外張り断熱工法においては、気密断熱ユニットの上に、通気たるき，野地板，アスファルトルーフィング，屋根部材（トタン板等）などが配設される。
【００３８】
また、断熱パネル３０ａは、同図（ｃ）に示すように、屋根の野地板９２，柱９３及びたるき９４に取り付けることができる。この際、断熱パネル３０ａどうしがほぞ３３と長穴３４とによって連結される。そして、野地板９２上に配設された断熱パネル１０と連結パネル２０で連結され、また、柱９３側の断熱パネル１０と連結パネル２０で連結されている。このようにすると、屋根と壁の境界部に対しても、気密性を維持した状態で断熱することができる。
【００３９】
このように、本応用例の断熱パネル３０ａによれば、屋根のみねや屋根と壁の境界部に対しても気密性を確保した状態で、断熱することができる。
なお、断熱パネル３０ａの折り曲げる角度は、特に限定されるものではなく、被断熱物の形状に応じて決定することができ、また、鋭角に折り曲げる場合に限定されるものではなく、たとえば、丸みを帯びた形状に折り曲げてもよい。
【００４０】
［第二実施形態］
図９は、本発明にかかる気密断熱ユニットの第二実施形態を説明するための概略図であり、（ａ）は断熱パネルの斜視図を、（ｂ）は好適な断熱パネルの水平方向及び垂直方向の断面図を、（ｃ）は垂直方向の連結パネルの側面図を、（ｄ）は垂直方向の連結パネルの側面図を、（ｅ）は、水平方向の連結パネルの側面図を示している。
同図において、気密断熱ユニット６は、硬質発泡樹脂からなるほぼ矩形平板状の断熱パネル６０と、隣り合って配設された断熱パネル６０を連結する硬質発泡樹脂からなる垂直方向の（断熱パネル６０を垂直方向に連結するための）連結パネル７０及び水平方向の（断熱パネル６０を水平方向に連結するための）連結パネル７５とからなっている。
【００４１】
断熱パネル６０は、端面の中央部に二組の対向する凸部６１，６２が突設されている。この凸部６１，６２により、断熱パネル６０の上下方向及び左右方向に隣り合って配設された断熱パネル６０（図示せず）と連結パネル７０，７５を介して連結される。ただし、凸部６１，６２を形成する構造に限定されるものではなく、たとえば、対向する二組の凸部６１，６２の代わりに、二組の凹部を形成したり、対向する端面の一方に凹部を、他方に凸部を設けてもよい。
【００４２】
また、凸部６１，６２の断面形状は、同図（ａ）に示すようなほぼ正方形のものに限定されるものではない。
たとえば、好適な気密断熱ユニットは、同図（ｂ）に示すように、凸部６１，６２の中段部６１ａを入口部６１ｂよりくぼむように湾曲して形成し、連結パネル７０，７５の凹部７１をこの湾曲形状と対応する形状に形成するとよい。これにより、凹部７１が凸部６１，６２に嵌合されると、上述した脚部２２と溝１１，１２と同様に、連結パネル７０，７５が係止されるとともに、凸部６１，６２の表面と凹部７１の表面が密着し気密性を向上させることができる。
【００４３】
なお、上記湾曲形状を用いる場合には、対向する一組の凸部は、一方の端面から他方の端面まで同一断面形状を有する。これにより、たとえば、凸部６１が上端面から下端面まで同一断面形状を有する場合、この凸部６１と垂直方向に配設された断熱パネル６０の凸部６１とが連続するので、これら凸部６１どうしを一本の連結パネル７０で連結することができる。
【００４４】
図９（ｃ）において、垂直方向の連結パネル７０は、ほぼ四角柱状の形状としてあり、対向する一組の側面（取り付けられた状態では前面と背面となる面）は平面としてあり、断熱パネル６０の前面及び背面と同一平面を形成する。もう一組の対向する側面（取り付けられた状態では上面と下面となる面）には、図９（ｃ）に示すように、上記凸部６２が嵌合される凹部７１を形成してある。これにより、垂直方向の連結パネル７０は、断熱パネル６０の垂直方向に別の断熱パネル６０を連結することができる。
また、垂直方向の断熱パネル７０は、両端面に上記断熱パネル６０の凸部６１と同一断面形状を有する凸部７２が形成されている。なお、凸部７２は、断熱パネル７０が凸部６２に嵌合されると、断熱パネル６０の凸部６１と連続する凸部を形成する。
【００４５】
図９（ｅ）において、水平方向の連結パネル７５は、垂直方向の連結パネル７０とほぼ同様な構造としてあり、断熱パネル６０の水平方向に配設される断熱パネル６０を連結することができる。この際、垂直方向の連結パネル７０の凸部７２が凸部６１と連続するので、水平方向の連結パネル７５は、垂直方向に連結された断熱パネル６０と連結パネル７０にまたがって連結することができる。これにより、断熱パネル６０の凸部６１と連結パネル７０の凸部７２の接触面を水平方向の連結パネル７５が覆うので、気密性をより向上させることができる。
また、垂直方向に連結パネル７５どうしを連結させる際、下方の連結パネル７５の凸部７２を、上方の連結パネル７５の下面に形成した凹部７１に嵌合させることができ気密性を向上させることができる。
【００４６】
このように、本実施形態の気密断熱ユニットによれば、気密性を維持した状態で断熱することができる。
また、本実施形態の気密断熱ユニットは、上記構成に限定されるものではなく、たとえば、上述した第一実施形態の気密断熱ユニット１と同様に様々な応用例を含むものである。
【００４７】
（第一応用例）
図１０は、本発明にかかる気密断熱ユニットの第二実施形態の第一応用例を説明するための概略図であり、（ａ），（ｂ）は標準寸法と異なる寸法の断熱パネルの断面図を、（ｃ）は標準寸法と異なる寸法の連結パネルの断面図を示している。
同図において、各断熱パネル６０ａ，６０ｂ及び連結パネル７０ａは、標準寸法（最も一般的に使用される断熱パネル（たとえば、縦約１ｍ横約１ｍ）や連結パネルの寸法）より、縦寸法及び／又は横寸法が小さく設定された構成としてある。
これらの断熱パネル６０ａ，６０ｂ及び連結パネル７０ａは、凸部６１や凹部７１などの形状は、断熱パネル６０や連結パネル７０のものと同様としてある。
【００４８】
これにより、被断熱部９の寸法の関係によって、断熱パネル６０に挟まれたスペースに、断熱パネル６０が入らない場合であっても、たとえば、断熱パネル６０より小さな断熱パネル６０ａをそのまま配設し、効率よく連結パネル７０で連結することができる。
【００４９】
（第二応用例）
図１１は、本発明にかかる気密断熱ユニットの第二実施形態の第二応用例を説明するための概略図であり、（ａ）は断熱パネルの正面図を、（ｂ）はＥ−Ｅ断面図を示している。
同図において、断熱パネル３０ｂは、直角に折れ曲がった壁の角部である被断熱部９の形状に対応した形状としてあり、矩形の平板を直角に折り曲げた構造としてある。
【００５０】
断熱パネル３０ｂは、左右方向の端面に垂直方向に上記断熱パネル６０と同様に、凸部６１を形成してあり、連結パネル７５を介して、断熱パネル１０と接合される。
また、断熱パネル３０ｂは、上面の中心線に沿って、両側の中段がくびれたほぞ３３ｂが突設され、下面の中心線に沿って、下方に配設された断熱パネル３０ｂと垂直方向に連結するための、ほぞ３３ｂが嵌合する長穴３４ｂが形成してある。
【００５１】
このように、本応用例の断熱パネル３０ｂは、被断熱部９が直角に折れ曲がった角部であっても、気密性を確保することができる。
なお、本応用例では、被断熱部９を直角に折れ曲がった角部としてあるが、この被断熱部９に限定されるものではなく、様々な角度で折れ曲がったり、あるいは、湾曲したりした形状の被断熱部（図示せず）に対応した形状とすることができる。
また、本応用例は、断熱パネル３０ｂの上面にほぞ３３ｂを突設し、下面に長穴３４ｂを形成した構成としてあるが、上記第一実施形態の第三応用例のように、上面及び下面に凸部６２を突設し、折り曲げられた連結パネルを使用する構成としてもよい。
【００５２】
（第三応用例）
図１２は、本発明にかかる気密断熱ユニットの第一実施形態の第四応用例を説明するための概略図であり、（ａ）は屋根と壁との境界部への取付断面図を、（ｂ）はＦ−Ｆ矢視図を示している。
同図において、断熱パネル３０ｃ及び連結パネル７０ｃは、屋根と壁との境界部へ取り付けるために、野地板９２やたるき９４と隙間なく当接する形状としてある。
【００５３】
このようにすると、断熱パネル３０ｃ及び連結パネル７０ｃは、野地板９２上に配設された断熱パネル１０及び連結パネル２０と嵌合する状態で連結されないが、野地板９２やたるき９４と隙間なく当接するので、気密性を確保した状態で断熱することができる。
また、好ましくは、断熱パネル３０ｃ及び連結パネル７０ｃと野地板９２との当接面に、たとえば、発泡ポリエチレンからなる接合部材９５を設けるとよく、このようにすると、接合部材９５がシール機能を発揮するので、気密性をより向上させることができる。
【００５４】
［第三実施形態］
図１３は、本発明にかかる気密断熱ユニットの第三実施形態を説明するための概略図であり、（ａ）は断熱パネルの斜視図を、（ｂ）は好適な断熱パネルの水平方向及び垂直方向の断面図を、（ｃ）は連結パネルの斜視図を、（ｄ）は連結パネルのＨ−Ｈ断面図を示している。
同図において、気密断熱ユニット１ａは、外面部材１５が設けられた硬質発泡樹脂からなるほぼ矩形平板状の断熱パネル１０ｄと、隣接して配設された断熱パネル１０を連結する、外面部材２３が設けられた硬質発泡樹脂からなる連結パネル２０ａとからなっている。
【００５５】
断熱パネル１０ｄは、外表面（取り付けられた際、外部と接する面）、すなわち、中央部１３の正面に矩形板状の外面部材１５を設けてある。
外面部材１５は、建築物の外壁材として機能する材料、たとえば、木材、金属、セラミック、プラスチックなどからなり、通常、硬質発泡樹脂と一体成形される。また、外面部材１５の温度が断熱パネル１０ｄに伝達しにくいように、外面部材１５と断熱パネル１０ｄの間に、通気孔や熱伝達率の低いシート又は板部材を設けてもよい。
なお、断熱パネル１０ｄのその他の構造は、第一実施形態の断熱パネル１０とほぼ同様としてある。
【００５６】
連結パネル２０ａは、外表面（取り付けられた際、外部と接する面）、すなわち、連結部２１の上面に矩形板状の外面部材２３を設けてある。
外面部材２３は、上記外面部材１５と同様に、建築物の外壁材として機能する材料、たとえば、木材、金属、セラミック、プラスチックなどからなり、通常、硬質発泡樹脂と一体成形される。
なお、連結パネル２０ａのその他の構造は、第一実施形態の連結パネル２０とほぼ同様としてある。
【００５７】
このように、本実施形態の気密断熱ユニット１ａによれば、断熱パネル１０ｄと連結パネル２０ａにそれぞれ外面部材１５，２３が設けられているので、気密断熱ユニット１ａを組み付けると、外面部材１５，２３をも同時に組み付けることができ、気密断熱ユニットとは別に外面部材を取り付ける作業を行う必要がなくなり、作業工数を低減することができる。
【００５８】
以上、本発明の気密断熱ユニットについて、好ましい実施形態を示して説明したが、本発明に係る気密断熱ユニットは、上述した実施形態にのみ限定されるものではなく、本発明の範囲で種々の変更実施が可能であることは言うまでもない。
例えば、断熱パネルは、被断熱体を覆うことにより気密性を発揮できる形状であればよく、矩形形状に限定されるものではなく、たとえば、三角形や五角形で球のような曲面に取り付けることもできる。また、断熱パネルを被断熱体の形状に対応させる場合に限定されるものではなく、たとえば、連結パネルを被断熱体の形状に対応させてもよい。
【００５９】
また、第一実施形態の気密断熱ユニットの応用例は、第二実施形態及び第三実施形態の気密断熱ユニットに応用することができ、また、第二実施形態の気密断熱ユニットの応用例は、第一実施形態及び第三実施形態の気密断熱ユニットに応用できるものとする。
【００６０】
なお、硬質発泡樹脂の材質として、一般的に、例えば発泡ポリスチレン、発泡ポリプロピレン、発泡アクリル、硬質発泡ウレタンなどが使用される。
また、断熱パネルや連結パネルは、一般的に、一体成形されるが、これにより、限定されるものではなく、たとえば、ブロックからのカット品やカット品を接合した接合品であってもよい。
【００６１】
【発明の効果】
以上詳細に説明したように、本発明における気密断熱ユニットによれば、特別なシール材などを使用しなくても、気密性を維持した状態で断熱することができる。
また、被断熱体の形状や大きさに応じて、断熱パネル及び連結パネルを形成することにより、気密性をより向上させることができるとともに、施工作業を効率よく行うことができる。
【図面の簡単な説明】
【図１】図１は、本発明にかかる気密断熱ユニットの第一実施形態を説明するための概略図であり、（ａ）は断熱パネルの斜視図を、（ｂ）は好適な断熱パネルの水平方向及び垂直方向の断面図を、（ｃ）は連結パネルの斜視図を、（ｄ）は連結パネルのＢ−Ｂ断面図を示している。
【図２】図２は、本発明にかかる気密断熱ユニットの第一実施形態において、連結パネルで断熱パネルを連結した状態を説明するための概略図であり、（ａ）は正面図を、（ｂ）はＣ−Ｃ拡大断面図を示している。
【図３】図３は、本発明にかかる気密断熱ユニットの第一実施形態の第一応用例を説明するための概略図であり、（ａ）〜（ｃ）は標準寸法と異なる寸法の断熱パネルの断面図を示している。
【図４】図４は、本発明にかかる気密断熱ユニットの第一実施形態の第一応用例において、連結パネルで断熱パネルを連結した状態を説明するための概略断面図を示している。
【図５】図５は、本発明にかかる気密断熱ユニットの第一実施形態の第二応用例を説明するための概略図であり、（ａ）は断熱パネルの正面図を、（ｂ）はＤ−Ｄ断面図を示している。
【図６】図６は、本発明にかかる気密断熱ユニットの第一実施形態の第三応用例を説明するための概略図であり、（ａ）は連結パネルの斜視図を、（ｂ）はＣ−Ｃ断面図を、（ｃ）は取付図を示している。
【図７】図７は、本発明にかかる気密断熱ユニットの第一実施形態の第三応用例を説明するための概略図であり、（ａ）は連結パネルの正面図を、（ｂ）は連結パネルの左側面図を、（ｃ）は連結パネルの上面図を示している。
【図８】図８は、本発明にかかる気密断熱ユニットの第一実施形態の第四応用例を説明するための概略図であり、（ａ）は断熱パネルの側面図を、（ｂ）は屋根のみねへの取付断面図を、（ｃ）は屋根と壁との境界部への取付断面図を示している。
【図９】図９は、本発明にかかる気密断熱ユニットの第二実施形態を説明するための概略図であり、（ａ）は断熱パネルの斜視図を、（ｂ）は好適な断熱パネルの水平方向及び垂直方向の断面図を、（ｃ）は垂直方向の連結パネルの側面図を、（ｄ）は垂直方向の連結パネルの側面図を、（ｅ）は、水平方向の連結パネルの側面図を示している。
【図１０】図１０は、本発明にかかる気密断熱ユニットの第二実施形態の第一応用例を説明するための概略図であり、（ａ），（ｂ）は標準寸法と異なる寸法の断熱パネルの断面図を、（ｃ）は標準寸法と異なる寸法の連結パネルの断面図を示している。
【図１１】図１１は、本発明にかかる気密断熱ユニットの第二実施形態の第二応用例を説明するための概略図であり、（ａ）は断熱パネルの正面図を、（ｂ）はＥ−Ｅ断面図を示している。
【図１２】図１２は、本発明にかかる気密断熱ユニットの第一実施形態の第四応用例を説明するための概略図であり、（ａ）は屋根と壁との境界部への取付断面図を、（ｂ）はＦ−Ｆ矢視図を示している。
【図１３】図１３は、本発明にかかる気密断熱ユニットの第三実施形態を説明するための概略図であり、（ａ）は断熱パネルの斜視図を、（ｂ）は好適な断熱パネルの水平方向及び垂直方向の断面図を、（ｃ）は連結パネルの斜視図を、（ｄ）は連結パネルのＨ−Ｈ断面図を示している。
【符号の説明】
１，１ａ  気密断熱ユニット
６  気密断熱ユニット
９  被断熱体
１０  断熱パネル
１０ａ，１０ｂ，１０ｃ，１０ｄ  断熱パネル
１１  溝
１１ａ  入口部
１１ｂ  内部
１２  溝
１３  中央部
１３ａ，１３ｂ，１３ｃ  中央部
１４  周縁部
１５  外面部材
２０，２０ａ  連結パネル
２１  連結部
２２  脚部
２３  外面部材
３０，３０ａ，３０ｂ，３０ｃ  断熱パネル
３１  溝
３２  周縁部
３２ｂ  凸部
３３，３３ｂ  ほぞ
３４，３４ｂ  長穴
４０  断熱パネル
４１、４２  溝
４３  中央部
４４  周縁部
５０  連結パネル
５１  連結部
５２  脚部
６０，６０ａ，６０ｂ  断熱パネル
６１，６２  凸部
６１ａ  中段部
６１ｂ  入口部
７０，７０ａ，７０ｃ，７５  連結パネル
７１  凹部
７２  凸部
９１  屋根のみね
９２  野地板
９３  柱
９４  たるき
９５  接合部材
【図１】
2004197515.tif 000003
【図２】
2004197515.tif 000004
【図３】
2004197515.tif 000005
【図４】
2004197515.tif 000006
【図５】
2004197515.tif 000007
【図６】
2004197515.tif 000008
【図７】
2004197515.tif 000009
【図８】
2004197515.tif 000010
【図９】
2004197515.tif 000011
【図１０】
2004197515.tif 000012
【図１１】
2004197515.tif 000013
【図１２】
2004197515.tif 000014
【図１３】
2004197515.tif 000015